(57)【要約】【課題】ユーザの利便性を損なうことなく著作権保護を図る。【解決手段】本発明に係るＡＶ通信システムは、無線でＡＶストリームを送信するＡＶ送信装置１と、ＡＶ送信装置１からのＡＶストリームを無線ネットワーク２を介して受信するＡＶ受信装置３とを備え、ＡＶ送信装置１は、無線ＬＡＮ−ＬＳＩとＭＰＥＧ処理部とを有し、ＡＶ受信装置３は、ＡＶストリームの受信処理や復号化処理などを行う無線ＬＡＮ−ＬＳＩと、ＭＰＥＧストリームの蓄積処理を行うＭＰＥＧストリーム蓄積部とを有する。受信されたＡＶストリームに含まれるコピー制御情報をＡＶ受信装置３で検出してから、ＡＶストリームのコピーを許可するか否かを決定するため、個々のＡＶストリームのコピー制御情報に応じた著作権保護が図れる。【選択図】  図１
2004193805.tif 000002
【特許請求の範囲】
【請求項１】
暗号化されたＡＶストリームを受信して復号化し、復号化されたＡＶストリームを、ＡＶストリームの蓄積または再生を行うＡＶ蓄積／再生装置に送信する半導体集積回路において、
所定の物理ネットワークに接続される物理ネットワークインタフェース手段と、
暗号化されたＡＶストリームを送信する送信装置との間で認証・鍵交換処理を行う認証・鍵交換処理手段と、
前記物理ネットワークインタフェース手段を介して受信された、暗号化されたＡＶストリームを復号化する復号化手段と、
前記復号化手段で復号化されたＡＶストリームに含まれるコピー制御情報または暗号制御情報を検出するパーサ手段と、
前記復号化手段で復号化されたＡＶストリームと前記パーサ手段で検出されたコピー制御情報または暗号制御情報とを並行して前記ＡＶ蓄積／再生装置に送信する制御を行うＡＶストリームインタフェース手段と、を備えることを特徴とする半導体集積回路。
【請求項２】
所定の物理ネットワークに接続される物理ネットワークインタフェース手段と、
暗号化されたＡＶストリームを送信する送信装置との間で認証・鍵交換処理を行う認証・鍵交換処理手段と、
前記物理ネットワークインタフェース手段を介して受信された、暗号化されたＡＶストリームを復号化する復号化手段と、
前記復号化手段で復号化されたＡＶストリームに含まれるコピー制御情報または暗号制御情報を検出するパーサ手段と、
前記復号化手段で復号化されたＡＶストリームと前記パーサ手段で検出されたコピー制御情報または暗号制御情報とを並行して前記ＡＶ蓄積／再生装置に送信する制御を行うＡＶストリームインタフェース手段と、
を有する半導体集積回路と、
前記ＡＶストリームインタフェース手段からＡＶストリームと前記コピー制御情報または暗号制御情報とを受け取り、ＡＶストリームの蓄積または再生を行うＡＶ蓄積／再生装置と、
を備えることを特徴とするＡＶ受信装置。
【請求項３】
暗号化されたＡＶストリームを送信する送信装置と、
前記送信装置から送信された暗号化されたＡＶストリームを受信して復号化し、復号化されたＡＶストリームの蓄積または再生を行う受信装置と、を備えたＡＶ通信システムにおいて、
前記送信装置は、
前記受信装置との間で認証・鍵交換処理を行う第１の認証・鍵交換処理手段と、
ＡＶストリームにコピー制御情報または暗号制御情報を含めて暗号化する暗号化手段と、
を有し、
前記受信装置は、半導体集積回路と、ＡＶ蓄積／再生装置と、を有し、
前記半導体集積回路は、
所定の物理ネットワークに接続される物理ネットワークインタフェース手段と、
暗号化されたＡＶストリームを送信する送信装置との間で認証・鍵交換処理を行う認証・鍵交換処理手段と、
前記物理ネットワークインタフェース手段を介して受信された、暗号化されたＡＶストリームを復号化する復号化手段と、
前記復号化手段で復号化されたＡＶストリームに含まれるコピー制御情報または暗号制御情報を検出するパーサ手段と、
前記復号化手段で復号化されたＡＶストリームと前記パーサ手段で検出されたコピー制御情報または暗号制御情報とを並行して前記ＡＶ蓄積／再生装置に送信する制御を行うＡＶストリームインタフェース手段と、を有し、
前記ＡＶ蓄積／再生装置は、前記ＡＶストリームインタフェース手段からＡＶストリームと前記コピー制御情報または暗号制御情報とを受け取り、ＡＶストリームの蓄積または再生を行うことを特徴とするＡＶ通信システム。
【請求項４】
暗号化されたＡＶストリームを送信する送信装置と、
前記送信装置から送信されたＡＶストリームを受信して復号化し、復号化されたＡＶストリームの蓄積または再生を行う受信装置と、を備え、
前記受信装置は、
復号化されたＡＶストリームの蓄積または再生を行うＡＶ蓄積／再生装置と、
前記送信装置から送信された暗号化されたＡＶストリームを受信して復号化し、復号化されたＡＶストリームを前記ＡＶ蓄積／再生装置に送信する半導体集積回路と、を有するＡＶ通信システムのＡＶ通信方法であって、
前記送信装置は、
前記受信装置との間で認証・鍵交換処理を行い、
ＡＶストリームにコピー制御情報または暗号制御情報を含めて暗号化し、
前記半導体集積回路は、
前記送信装置との間で認証・鍵交換処理を行い、
受信された、暗号化されたＡＶストリームを復号化し、
前記復号化されたＡＶストリームに含まれるコピー制御情報または暗号制御情報を検出し、
前記復号化されたＡＶストリームと前記検出されたコピー制御情報または暗号制御情報とを並行して前記ＡＶ蓄積／再生装置に送信する制御を行うことを特徴とするＡＶ通信方法。
【請求項５】
受信装置との間で、送信対象であるＡＶストリームの暗号再計算タイミング情報の交換手順を含めた認証・鍵交換処理を行う認証・鍵交換処理手段と、
送信対象であるＡＶストリームを、コピー制御情報または暗号制御情報を含めずに暗号化する暗号化手段と、を備え、
前記暗号再計算タイミング情報は、前記受信装置に送信されるＡＶストリームの転送プロトコルのシーケンス番号が２のべき乗番目のときを暗号再計算タイミングとすることを定めた情報であることを特徴とするＡＶ送信装置。
【請求項６】
送信装置との間で、受信対象であるＡＶストリームの暗号再計算タイミング情報の交換手順を含めた認証・鍵交換処理を行う認証・鍵交換処理手段と、
前記送信装置から送信されたコピー制御情報または暗号制御情報を含まない暗号化されたＡＶストリームを受信するＡＶストリーム受信手段と、
前記暗号再計算タイミング情報に従って所定の時間間隔で復号鍵を変えながら、前記ＡＶストリーム受信手段で受信されたＡＶストリームを復号する復号化手段と、を備え、
前記暗号再計算タイミング情報は、前記受信装置に送信されるＡＶストリームの転送プロトコルのシーケンス番号が２のべき乗番目のときを暗号再計算タイミングとすることを定めた情報であることを特徴とするＡＶ受信装置。
【請求項７】
暗号化されたＡＶストリームを送信する送信装置と、
前記送信装置から送信されたＡＶストリームを受信して復号化し、復号化されたＡＶストリームの蓄積または再生を行う受信装置と、の間でＡＶストリームを送受信する制御を行うＡＶ通信制御プログラムにおいて、
前記受信装置との間で、送信対象であるＡＶストリームの暗号再計算タイミング情報の交換手順を含めた認証・鍵交換処理を行うステップと、
送信対象であるＡＶストリームを、コピー制御情報または暗号制御情報を含めずに暗号化するステップと、
前記送信装置との間で、受信対象であるＡＶストリームの暗号再計算タイミング情報の交換手順を含めた認証・鍵交換処理を行うステップと、
前記送信装置から送信されたコピー制御情報または暗号制御情報を含まない暗号化されたＡＶストリームを受信するステップと、
前記暗号再計算タイミング情報に従って所定の時間間隔で復号鍵を変えながら、前記ＡＶストリーム受信手段で受信されたＡＶストリームを復号するステップと、を備え、
前記暗号再計算タイミング情報は、前記受信装置に送信されるＡＶストリームの転送プロトコルのシーケンス番号が２のべき乗番目のときを暗号再計算タイミングとすることを定めた情報であることを特徴とするＡＶ通信制御プログラム。
【請求項８】
ＡＶストリームを受信する受信装置との間で、それぞれ異なるコピー制御情報または暗号制御情報を持つＡＶストリームを送信するための複数のコネクションを確立させるコネクション確立手段と、
送信対象であるＡＶストリームに含まれるコピー制御情報または暗号制御情報に基づいて、前記複数のコネクションのいずれか一つを選択して、選択したコネクションに該ＡＶストリームを投入するコネクション選択手段と、
前記受信装置との間で著作権保護のための認証・鍵交換を行う認証・鍵交換手段と、を備え、
前記コネクション選択手段で選択されたコネクションを利用して、前記受信装置にＡＶストリームを送信することを特徴とするＡＶ送信装置。
【請求項９】
ＡＶストリームを送信する送信装置との間で、それぞれ異なるコピー制御情報または暗号制御情報を持つＡＶストリームを受信するための複数のコネクションを確立させるコネクション確立手段と、
前記送信装置との間で著作権保護のための認証・鍵交換を行う認証・鍵交換手段と、
前記複数のコネクションを介して受信されたＡＶストリームを、対応するコネクションのコピー制御情報または暗号制御情報に基づいて、蓄積または再生するＡＶ蓄積／再生手段と、を備えることを特徴とするＡＶ受信装置。
【請求項１０】
ＡＶストリームを送信する送信装置と、
前記送信装置から送信されたＡＶストリームを受信する受信装置と、
前記送信装置と前記受信装置との間で確立され、それぞれ異なるコピー制御情報または暗号制御情報を持つＡＶストリームを送信するための複数のコネクションと、を備え、
前記送信装置は、
送信対象であるＡＶストリームに含まれるコピー制御情報または暗号制御情報に基づいて、前記複数のコネクションのいずれか一つを選択して、選択したコネクションに該ＡＶストリームを投入するコネクション選択手段と、
前記受信装置との間で著作権保護のための認証・鍵交換を行う第１の認証・鍵交換手段と、を有し、
前記受信装置は、
前記送信装置との間で著作権保護のための認証・鍵交換を行う認証・鍵交換手段と、
前記複数のコネクションを介して受信されたＡＶストリームを、対応するコネクションのコピー制御情報または暗号制御情報に基づいて、蓄積または再生するＡＶ蓄積／再生手段と、を有することを特徴とするＡＶ通信システム。
【請求項１１】
ＡＶストリームを送信する送信装置と、
前記送信装置から送信されたＡＶストリームを受信する受信装置と、
前記送信装置と前記受信装置との間で確立され、それぞれ異なるコピー制御情報または暗号制御情報を持つＡＶストリームを送信するための複数のコネクションと、の間でＡＶストリームを送受信するＡＶ通信方法であって、
前記送信装置は、
送信対象であるＡＶストリームに含まれるコピー制御情報または暗号制御情報に基づいて、前記複数のコネクションのいずれか一つを選択して、選択したコネクションに該ＡＶストリームを投入し、
前記受信装置との間で著作権保護のための認証・鍵交換を行い、
前記受信装置は、
前記送信装置との間で著作権保護のための認証・鍵交換を行い、
前記複数のコネクションを介して受信されたＡＶストリームを、対応するコネクションのコピー制御情報または暗号制御情報に基づいて、蓄積または再生することを特徴とするＡＶ通信方法。
【発明の詳細な説明】
【０００１】
【発明の属する技術分野】
本発明は、著作権保護を図りつつＡＶストリームを送受信するＡＶ受信装置、ＡＶ送信装置、ＡＶ通信システム、ＡＶ通信方法及びＡＶ通信制御プログラムに関する。
【０００２】
【従来の技術】
デジタル情報家電と呼ばれる商品が増えている。この種の商品は、デジタル放送の開始などに伴って普及が期待され、デジタル放送対応テレビや、セットトップボックス、デジタルＶＴＲ、ＤＶＤプレーヤ、ハードディスクレコーダ等、デジタルデータやデジタルコンテンツを扱う商品が広く含まれる。
【０００３】
デジタルデータは、コピー時の品質劣化が無いなどの利点がある反面、不正コピーが容易であるなどの欠点も持つため、著作権保護を図る仕組みが必要になる。例えば、デジタルＡＶ機器同士をつなぐデジタルネットワークであるＩＥＥＥ１３９４には、認証・鍵交換機構や、データの暗号化の機能を兼ね備えられている。
【０００４】
ここで、著作権保護が必要なＡＶストリームを送信装置から受信装置に転送する場合を考える。個人（あるいは、拡大解釈して家族）の楽しむ範囲内ではＡＶストリームをやり取りできるようにし、他人との間では、著作権者からの許可が得られない限り、ＡＶストリームをやり取りできないような仕組みが必要である。
【０００５】
ネットワーク上で著作権保護を実現するためのメカニズムとして、ＤＴＣＰが知られている。ＤＴＣＰとは、Ｄｉｇｉｔａｌ  Ｔｒａｎｓｍｉｓｓｉｏｎ  Ｃｏｎｔｅｎｔ  Ｐｒｏｔｅｃｔｉｏｎの略で、ＩＥＥＥ１３９４やＵＳＢなどでデファクトスタンダードとなっている著作権保護方式である。著作権保護が必要なＡＶストリームなどのコンテンツに対して送信機器と受信機器との間で認証・鍵交換を行い、ＡＶストリームを暗号化して転送する仕組みが備わっている（例えば、非特許文献１に説明が詳しい）。ＤＴＣＰを用いることにより、宅内のネットワーク（例えばＩＥＥＥ１３９４ネットワーク）上における、著作権保護を保証した上でのＡＶストリームの伝送が可能になる。
【０００６】
一方、現在ホームネットワークの有力候補として考えられているのが無線ＬＡＮである。代表的な無線ＬＡＮとしては、ＩＥＥＥ８０２．１１による無線ＬＡＮ等が知られている。これらの無線ＬＡＮ上では、インターネットプロトコルによる通信が行われるのが一般的である。
【０００７】
【非特許文献１】
ｈｔｔｐ：／／ｗｗｗ．ｄｔｌａ．ｃｏｍにて取得可能に開示されている文書
【０００８】
【発明が解決しようとする課題】
しかしながら、現在のＤＴＣＰはＩＥＥＥ１３９４やＵＳＢ等のホームネットワークにその対象が限定されている。これから、ますます普及が進むと考えられる無線ＬＡＮ（あるいは、イーサネット（登録商標）等）や家庭内インターネットにおいて、著作権保護を保証した通信を実現するには、例えば現在のＤＴＣＰを拡張する必要がある。
【０００９】
本発明は、このような点に鑑みてなされたものであり、その目的は、ユーザの利便性を損なうことなく著作権保護を図ることができるＡＶ受信装置、ＡＶ送信装置、ＡＶ通信システム及びＡＶ通信制御プログラムを提供することにある。
【００１０】
【課題を解決するための手段】
上述した課題を解決するために、本発明は、暗号化されたＡＶストリームを受信して復号化し、復号化されたＡＶストリームを、ＡＶストリームの蓄積または再生を行うＡＶ蓄積／再生装置に送信する半導体集積回路において、所定の物理ネットワークに接続される物理ネットワークインタフェース手段と、暗号化されたＡＶストリームを送信する送信装置との間で認証・鍵交換処理を行う認証・鍵交換処理手段と、前記物理ネットワークインタフェース手段を介して受信された、暗号化されたＡＶストリームを復号化する復号化手段と、前記復号化手段で復号化されたＡＶストリームに含まれるコピー制御情報または暗号制御情報を検出するパーサ手段と、前記復号化手段で復号化されたＡＶストリームと前記パーサ手段で検出されたコピー制御情報または暗号制御情報とを並行して前記ＡＶ蓄積／再生装置に送信する制御を行うＡＶストリームインタフェース手段と、を備える。
【００１１】
また、本発明に係るＡＶ受信装置は、所定の物理ネットワークに接続される物理ネットワークインタフェース手段と、暗号化されたＡＶストリームを送信する送信装置との間で認証・鍵交換処理を行う認証・鍵交換処理手段と、前記物理ネットワークインタフェース手段を介して受信された、暗号化されたＡＶストリームを復号化する復号化手段と、前記復号化手段で復号化されたＡＶストリームに含まれるコピー制御情報または暗号制御情報を検出するパーサ手段と、前記復号化手段で復号化されたＡＶストリームと前記パーサ手段で検出されたコピー制御情報または暗号制御情報とを並行して前記ＡＶ蓄積／再生装置に送信する制御を行うＡＶストリームインタフェース手段と、を有する半導体集積回路と、前記ＡＶストリームインタフェース手段からＡＶストリームと前記コピー制御情報または暗号制御情報とを受け取り、ＡＶストリームの蓄積または再生を行うＡＶ蓄積／再生装置と、を備える。
【００１２】
また、本発明に係るＡＶ送信装置は、受信装置との間で、送信対象であるＡＶストリームの暗号再計算タイミング情報の交換手順を含めた認証・鍵交換処理を行う認証・鍵交換処理手段と、送信対象であるＡＶストリームを、コピー制御情報または暗号制御情報を含めずに暗号化する暗号化手段と、を備え、前記暗号再計算タイミング情報は、前記受信装置に送信されるＡＶストリームの転送プロトコルのシーケンス番号が２のべき乗番目のときを暗号再計算タイミングとすることを定めた情報である。
【００１３】
また、本発明に係るＡＶ受信装置は、送信装置との間で、受信対象であるＡＶストリームの暗号再計算タイミング情報の交換手順を含めた認証・鍵交換処理を行う認証・鍵交換処理手段と、前記送信装置から送信されたコピー制御情報または暗号制御情報を含まない暗号化されたＡＶストリームを受信するＡＶストリーム受信手段と、前記暗号再計算タイミング情報に従って所定の時間間隔で復号鍵を変えながら、前記ＡＶストリーム受信手段で受信されたＡＶストリームを復号する復号化手段と、を備え、前記暗号再計算タイミング情報は、前記受信装置に送信されるＡＶストリームの転送プロトコルのシーケンス番号が２のべき乗番目のときを暗号再計算タイミングとすることを定めた情報である。
【００１４】
また、本発明に係るＡＶ送信装置は、ＡＶストリームを受信する受信装置との間で、それぞれ異なるコピー制御情報または暗号制御情報を持つＡＶストリームを送信するための複数のコネクションを確立させるコネクション確立手段と、送信対象であるＡＶストリームに含まれるコピー制御情報または暗号制御情報に基づいて、前記複数のコネクションのいずれか一つを選択して、選択したコネクションに該ＡＶストリームを投入するコネクション選択手段と、前記受信装置との間で著作権保護のための認証・鍵交換を行う認証・鍵交換手段と、を備え、前記コネクション選択手段で選択されたコネクションを利用して、前記受信装置にＡＶストリームを送信する。
【００１５】
また、本発明に係るＡＶ受信装置は、ＡＶストリームを送信する送信装置との間で、それぞれ異なるコピー制御情報または暗号制御情報を持つＡＶストリームを受信するための複数のコネクションを確立させるコネクション確立手段と、前記送信装置との間で著作権保護のための認証・鍵交換を行う認証・鍵交換手段と、前記複数のコネクションを介して受信されたＡＶストリームを、対応するコネクションのコピー制御情報または暗号制御情報に基づいて、蓄積または再生するＡＶ蓄積／再生手段と、を備える。
【００１６】
【発明の実施の形態】
以下、本発明に係るＡＶ受信装置、ＡＶ送信装置、ＡＶ通信システム、ＡＶ通信方法及びＡＶ通信制御プログラムについて、図面を参照しながら具体的に説明する。
【００１７】
（第１の実施形態）
図１は本発明に係るＡＶ通信システムの一実施形態の全体構成を示すブロック図である。図１のＡＶ通信システムは、無線でＡＶストリームを送信するＡＶ送信装置１と、ＡＶ送信装置１からのＡＶストリームを無線ネットワーク２を介して受信するＡＶ受信装置３とを備えている。
【００１８】
図１の無線ネットワーク２は、家庭内のネットワークを念頭に置いているが、必ずしも無線である必要はなく、イーサネット等の有線ネットワークでもよいし、無線ネットワーク２と有線ネットワークがブリッジ接続された混在ネットワークでもよい。
【００１９】
無線ネットワーク２は、例えば、ＩＥＥＥ８０２．１１ａやＩＥＥＥ８０２．１１ｂ等の無線ＬＡＮである。
【００２０】
ＡＶ送信装置１は、テレビやセットトップボックス、ＤＶＤプレーヤ等のＡＶストリームのソースデバイスとなりうる機器である。ＡＶ受信装置３は、テレビ等の表示装置、スピーカ、あるいは録画・録音装置といった、ＡＶストリームのシンクデバイスとなりえる機器である。
【００２１】
図２は図１のＡＶ送信装置１の内部構成の一例を示すブロック図である。図２のＡＶ送信装置１は、無線ＬＡＮ−ＬＳＩ４とＭＰＥＧ処理部５とを有する。ＭＰＥＧ処理部５は、より具体的には、ＡＶストリームをＭＰＥＧ形式でエンコードする機能を持つＭＰＥＧエンコーダや、映像信号（例えばテレビ放送）を受信する機能を持つＭＰＥＧ受信部や、映像信号を蓄積する機能（例えばハードディスクやＤＶＤ）を持つＭＰＥＧ蓄積部などである。また、ＭＰＥＧ処理部５は、無線ＬＡＮ−ＬＳＩ４に対して、著作権保護を行なうべきデジタルＡＶストリームを送信する機能も持っている。
【００２２】
ＭＰＥＧ処理部５には、ＭＰＥＧ形式のＡＶストリーム（以下、ＭＰＥＧストリーム）とクロックを出力する少なくとも一つの端子が設けられ、この端子に無線ＬＡＮ−ＬＳＩ４が接続されている。
【００２３】
無線ＬＡＮ−ＬＳＩ４は、無線ＬＡＮの送受信制御を行う機能の他に、著作権保護を図るためにＡＶストリームを暗号化する機能やＡＶストリームのフォーマット処理を行う機能も持っている。
【００２４】
無線ＬＡＮ−ＬＳＩ４は、ＡＶストリームを暗号化する際、ＡＶストリームの中にコピー制御情報（ＣＣＩ：  Ｃｏｐｙ  Ｃｏｎｔｒｏｌ  Ｉｎｆｏｒｍａｔｉｏｎ）も含めて暗号化する。したがって、後述するＡＶ受信装置３は、受信されたＡＶストリームの中からコピー制御情報を検出することで、ＡＶストリームのコピー条件を把握できる。
【００２５】
コピー制御情報は、暗号管理情報（ＥＭＩ：  Ｅｎｃｒｙｐｔｉｏｎ  Ｍａｎａｇｅｍｅｎｔ  Ｉｎｆｏｒｍａｔｉｏｎ）とも呼ばれ、例えば、Ｃｏｐｙ  Ｎｅｖｅｒ（コピー不可）、Ｃｏｐｙ  Ｏｎｃｅ（１回のみコピーを許可）、Ｃｏｐｙ  Ｎｏ  Ｍｏｒｅ（これ以上コピー不可）、Ｃｏｐｙ  Ｆｒｅｅ（コピーを無制限許可）などのコピー制限情報である（詳しくは、参照）。
【００２６】
図３は無線ＬＡＮ−ＬＳＩ４の第１の実施形態の内部構成を示すブロック図である。図３の無線ＬＡＮ−ＬＳＩ４は、外部からＭＰＥＧストリームを取り込むＭＰＥＧインタフェース部（ＭＰＥＧ  Ｉ／Ｆ）１１と、ＭＰＥＧストリームのコピー制御情報を入力するＣＣＩ入力部１２と、ＭＰＥＧストリームをＲＴＰ／ＩＰパケット化する処理を行うＲＴＰ／ＩＰ処理部１３と、ＡＶ受信装置３との間でＤＴＣＰ認証・鍵交換処理を行うＤＴＣＰ  ＡＫＥ処理部１４と、暗号鍵を用いてＭＰＥＧストリームを暗号化するＤＴＣＰ暗号化処理部１５と、暗号鍵情報と暗号化されたＭＰＥＧストリームとを多重化する多重化部１６と、無線ＬＡＮ処理部１７と、無線ＬＡＮインタフェース部（無線ＬＡＮ  Ｉ／Ｆ）１８とを有する。
【００２７】
無線ＬＡＮ−ＬＳＩ４は、入力されたＭＰＥＧストリーム毎に、通信相手となるノードのアドレス（ＩＰアドレスやドメインネーム等）や使用すべきプロトコル（例えば、ＲＴＰ、ＨＴＴＰ及び独自フォーマットのいずれかと、そのポート番号等）についての情報を外部（例えば、ＭＰＥＧ処理部や不図示の全体制御用のＣＰＵなど）から与えられてもよい。
【００２８】
これにより、ＲＴＰ／ＩＰ処理部１３は、「どのＩＰアドレス宛て（本実施形態では受信装置のＩＰアドレス）のＩＰパケットを、どのようなプロトコル・ポート番号で生成すればよいか」等についての情報を持ち、この情報に従ってＵＤＰパケットとＩＰパケットを生成する。
【００２９】
ＤＴＣＰ暗号化処理部１５は、生成したＲＴＰ／ＩＰパケットの必要な部分（本実施形態では、ＲＴＰペイロード、つまりＭＰＥＧデータが格納されている部分）の著作権保護のための暗号化を行う。ＤＴＣＰは、ＩＥＥＥ１３９４などで採用されているホームネットワークにおける著作権保護のための仕組みのデファクトスタンダードである。本実施形態の無線ＬＡＮ−ＬＳＩ４は、このＤＴＣＰを著作権保護の仕組みとして採用する。
【００３０】
ＤＴＣＰ−ＡＫＥ処理部１４は、ＡＶ受信装置３との間で、ＤＴＣＰのための認証鍵交換を行う。多重化部１６は、ＤＴＣＰ−ＡＫＥ処理部１４がやり取りするＤＴＣＰの制御用のパケットと、ＭＰＥＧデータを搭載したパケット、及びその他のパケットを多重化、あるいは分離化する。無線ＬＡＮ処理部１７は、無線ＬＡＮのデータリンクレイヤやＭＡＣレイヤ、物理レイヤの処理を行う。無線ＬＡＮインタフェース部１８は、無線ネットワーク２との接続処理を行う。
【００３１】
本実施形態では、著作権保護のために暗号化したＡＶストリームを、ＲＴＰプロトコルとＵＤＰ／ＩＰ（あるいはＴＣＰ／ＩＰ）プロトコルを用いて伝送する。このとき、ＡＶストリーム転送通信の開始に先立って、ＡＶ送信装置１とＡＶ受信装置３との間で、認証鍵交換の手順を行う。これは、ＲＴＰプロトコルで行う必要は必ずしもなく、一般のＴＣＰ／ＩＰ通信上に認証鍵交換のプロトコルをマッピングして行えばよい。この認証鍵交換が終了し、ＡＶ送信装置１とＡＶ受信装置３との間で共通の鍵の値の元になる値を共有すると、著作権保護のための暗号化を施したＡＶストリームの転送を開始する。このときのＡＶストリームの転送フォーマットは、例えば図４のようなものである。
【００３２】
ＡＶ送信装置１から送信されるＡＶストリームは、常に同じコピー制御情報を持っているとは限らず、複数の異なるコピー制御情報を持つＡＶストリームが入り乱れて送信される場合がある。
【００３３】
例えば、映画や音楽のＡＶコンテンツの入ったＤＶＤディスク（ＤＶＤ−ＶｉｄｅｏやＤＶＤ−Ａｕｄｉｏ等）などから転送されるＡＶストリームは、そのＡＶコンテンツがＣｏｐｙ  Ｎｅｖｅｒの属性を持っていれば、ＤＶＤプレーヤ（送信装置）から送信されるデータは全てＣｏｐｙ  Ｎｅｖｅｒの属性を持つと考えられる。
【００３４】
一方、例えばＡＶ送信装置１が放送のセットトップボックス（ＳＴＢ）の場合などは、同じ放送チャンネルにおいて、ある番組（映画）はＣｏｐｙ  Ｎｅｖｅｒ、ある番組（ドラマ）はＣｏｐｙ  Ｏｎｃｅ、ある番組（コマーシャル）はＣｏｐｙ  Ｆｒｅｅ、等のように、同一のＡＶ送信装置１から送信される同一のストリームに、時々刻々異なるコピー制御情報（暗号管理情報）が含まれる場合が考えられる。
【００３５】
通常、これらのコピー制御情報（暗号管理情報）は、放送局から送られてくるＭＰＥＧストリームの中の、ある決められた領域（例えば、コピー制御情報を記述するよう定義された領域）に、この情報が格納されている。ＡＶ送信装置１は、この情報に従って、ＡＶ受信装置３に対して送信するＡＶストリームのコピー制御情報（暗号管理情報）を決定する。
【００３６】
同一のＡＶストリームの中に、互いに異なるコピー制御情報（暗号管理情報）の属性を持った複数のＡＶストリームが混在する（多重化されている）場合には、「そのストリームが持つ、最も強いコピー制御情報（暗号管理情報）を使ったＲＴＰコネクションを利用する」というルールを取り決める。
【００３７】
例えば、図５のように、Ｃｏｐｙ  Ｎｅｖｅｒ用のＲＴＰコネクションであれば、Ｃｏｐｙ  Ｎｅｖｅｒ（ＣＮ）のコンテンツだけではなくて、Ｃｏｐｙ  Ｏｎｃｅ（ＣＯ）、Ｃｏｐｙ  Ｎｏ  Ｍｏｒｅ（ＣＮＭ）、Ｃｏｐｙ  Ｆｒｅｅ（ＣＦ）のコンテンツの伝送を許可する。Ｃｏｐｙ  ＯｎｃｅのＲＴＰコネクションであればＣｏｐｙ  Ｏｎｃｅ（ＣＯ）、Ｃｏｐｙ  Ｎｏ  Ｍｏｒｅ（ＣＮＭ）、Ｃｏｐｙ  Ｆｒｅｅ（ＣＦ）のコンテンツの伝送を許可する。Ｃｏｐｙ  Ｎｏ  ＭｏｒｅのＲＴＰコネクションであればＣｏｐｙ  Ｎｏ  Ｍｏｒｅ（ＣＮＭ）とＣｏｐｙ  Ｆｒｅｅ（ＣＦ）のみのコンテンツの伝送を許可する。
【００３８】
もちろん、Ｃｏｐｙ  Ｆｒｅｅは「コピー自由」という属性であるため、Ｃｏｐｙ  Ｆｒｅｅ用に確立されたＲＴＰコネクションで伝送可能なコンテンツはＣＦコンテンツのみである。
【００３９】
図６はＡＶ受信装置３の第１の実施形態の内部構成を示すブロック図である。図６のＡＶ受信装置３は、ＡＶストリームの受信処理や復号化処理などを行う無線ＬＡＮ−ＬＳＩ６と、ＭＰＥＧストリームの蓄積処理を行うＭＰＥＧストリーム蓄積部７とを有する。
【００４０】
ＭＰＥＧストリーム蓄積部７は、例えばＤＶＤストリーマやデジタルＶＴＲ、ハードディスクレコーダのように、入力されたＭＰＥＧ形式のＡＶストリームをそのまま録画・蓄積する機能を持つ。ＭＰＥＧストリーム蓄積部７は、ＭＰＥＧデコード機能やレンダリング等の画像処理機能を持っていてもよい。
【００４１】
転送されてきたＭＰＥＧストリームの中には、Ｃｏｐｙ  ＮｅｖｅｒやＣｏｐｙ  Ｎｏ  Ｍｏｒｅの属性を持った、いわゆる「コピー（蓄積）をしてはいけない」属性のストリームも含まれるが、ＭＰＥＧストリーム蓄積部７がコピー制御情報を解釈できる機能を持っているとは限らない。
【００４２】
そこで、本実施形態のＡＶ受信装置３は、受信ＡＶストリームに含まれるコピー制御情報を無線ＬＡＮ−ＬＳＩ６で検出し、その検出結果をＭＰＥＧストリーム蓄積部７に通知する。この通知を受けて、ＭＰＥＧストリーム蓄積部７の録画可否判断部８は、受信ＡＶストリームを蓄積するか否かを判断する。
【００４３】
無線ＬＡＮ−ＬＳＩ６とＭＰＥＧストリーム蓄積部７との間には、ＭＰＥＧストリームを伝送する信号線とコピー制御情報（ＣＣＩ）を伝送する信号線とが設けられているが、これら２種類の信号線を多重化してもよい。あるいは、ＭＰＥＧストリーム蓄積部７のレジスタ等に、転送中のＭＰＥＧデータのコピー制御情報やデータサイズ、その他の属性等を登録してもよい。この場合、コピー制御情報が変化しない限り、無線ＬＡＮ−ＬＳＩ６からコピー制御情報を伝送しなくて済む。
【００４４】
ちなみに、ＭＰＥＧストリーム蓄積部７は、本実施形態では無線ＬＡＮ−ＬＳＩ６に接続されているが、実際には無線ＬＡＮ−ＬＳＩ６の他に、例えばＩＥＥＥ１３９４等の他のネットワークに接続されていてもよい。
【００４５】
従来のＩＥＥＥ１３９４では、コピー制御情報（暗号管理情報）を、ＩＥＥＥ１３９４上で転送されるパケットのある領域（厳密にはＩＥＣ６１８８３プロトコルで定められるＩＥＥＥ１３９４のＩｓｏｃｈｒｏｎｏｕｓ  ヘッダの一部）に記録していた。これに対して、本実施形態のＡＶ送信装置１は、ＡＶストリームにコピー制限情報を含めて送信するため、ＡＶ受信装置３は、受信したＡＶストリームからコピー制限情報を検出する必要がある。
【００４６】
ＩＥＥＥ１３９４用に設計された従来のＭＰＥＧストリーム蓄積部７は、受信したＡＶストリームのフォーマットを解釈せずにＡＶストリームの蓄積を行っている。このようなＡＶストリームのフォーマットを理解しないデバイスのことを、ｆｏｒｍａｔ  ｕｎｃｏｇｎｉｚａｎｔデバイスと呼ぶ。
【００４７】
受信したＡＶストリームのフォーマットを解釈する機能は、ＭＰＥＧストリーム蓄積部７の必須機能ではないため、ＭＰＥＧストリーム蓄積部７の内部でＡＶストリームのコピー制御情報を検出するようにすると、新たなＭＰＥＧストリーム蓄積部７を開発しなければならず、コストがかかる。このため、本実施形態では、ＡＶ受信装置３内の無線ＬＡＮ−ＬＳＩ６の内部で受信ＡＶストリームのコピー制御情報を検出し、その検出結果をＭＰＥＧストリーム蓄積部７に通知するようにする。
【００４８】
図７は図６の無線ＬＡＮ−ＬＳＩ６の内部構成の一例を示すブロック図である。図７の無線ＬＡＮ−ＬＳＩは、無線ＬＡＮインタフェース部（無線ＬＡＮ  Ｉ／Ｆ）２１と、無線ＬＡＮ処理部２２と、分離部２３と、ＤＴＣＰ  ＡＫＥ処理部２４と、ＲＴＰ／ＩＰ及びＤＴＣＰ復号化処理部２５と、ＭＰＥＧパーサ及びＣＣＩ判断部２６とを備えている。
【００４９】
無線ＬＡＮインタフェース部２１は、無線ネットワーク２との接続処理を行う。無線ＬＡＮ処理部２２は、無線ＬＡＮのデータリンクレイヤやＭＡＣレイヤ、物理レイヤの処理を行う。ＤＴＣＰ−ＡＫＥ処理部２４は、ＡＶ送信装置１との間でＤＴＣＰ（著作権保護）のための認証・鍵交換処理を行う。分離部２３は、ＤＴＣＰ−ＡＫＥ処理部がやり取りするＤＴＣＰの制御用パケットと、ＭＰＥＧデータを搭載したパケット及びその他のパケットの分離（デマルチプレクス）あるいは多重化とを行う。
【００５０】
ＲＴＰ／ＩＰ及びＤＴＣＰ復号化処理部２５は、ＤＴＣＰ−ＡＫＥ処理部２４にて送信装置とネゴシエーションした結果を利用して、転送されてきたＲＴＰ／ＩＰパケットの暗号化部分（例えばＲＴＰペイロード）を復号化し、元のＭＰＥＧストリームを復元する。そして、復元したＭＰＥＧストリームを、ＭＰＥＧパーサ及びＣＣＩ判断部２６に出力する。
【００５１】
例えば、ＲＴＰコネクションがＣｏｐｙ  Ｎｅｖｅｒ用のコネクションであったとすると、Ｃｏｐｙ  Ｎｅｖｅｒ用の暗号鍵を使って復号化を行う。
【００５２】
この他、ＲＴＰ／ＩＰ及びＤＴＣＰ復号化処理部２５は、ＲＴＰパケットの到着順番の適切な入れ替え（シーケンス番号毎に並べ直す処理）や、バッファ吸収、パケット廃棄があった場合の適切なデータ補償等も行う。
【００５３】
復号化したＭＰＥＧストリームは、ＭＰＥＧパーサ及びＣＣＩ判断部２６に渡される。ＭＰＥＧパーサ及びＣＣＩ判断部２６には、ＭＰＥＧパーサが含まれており、ＭＰＥＧストリームの中からコピー制御情報が記述されているフィールドを検出して、ＭＰＥＧストリームのその部分が、どのようなコピー制御情報の属性を持っているかについての情報を検出する。検出したコピー制御情報は、ＭＰＥＧストリーム蓄積部７に対して通知される。
【００５４】
一方、復号化された元のＭＰＥＧストリームは、そのまま下流のＭＰＥＧストリーム蓄積部７に対して送出される。上述したように、ＭＰＥＧストリームとコピー制御情報は別々の信号線を通して送られてもよいし、同じ信号線を時分割で送られてもよいし、一方はストリーム転送のための信号線で通知され、もう一方はＭＰＥＧストリーム蓄積部７のレジスタに通知されてもよい。
【００５５】
ＭＰＥＧストリーム蓄積部７は、受け取ったＭＰＥＧストリームが録画可能なコピー制御情報である場合、必要に応じてこの情報を蓄積する。録画媒体は、ハードディスク等の磁気記録装置、ＳＤカード等の半導体メモリ、ＤＶＤ−ＲＡＭ等の光ディスク、Ｄ−ＶＨＳテープ等のテープメディアなど、各種の記録メディアが利用可能である。
【００５６】
ＩＥＥＥ１３９４上でＡＶストリームの送受信を行う場合、ＩＥＥＥ１３９４上にコピー制御情報（あるいは暗号管理情報）を示すフィールドが存在していたことから、通常はＡＶ受信装置３自身で、録画するＡＶストリーム（ＭＰＥＧストリーム）のコピー制御情報を調べることはせず、ＩＥＥＥ１３９４上の暗号管理情報のビットを参照して、その録画の可否を決めていた。このような従来のＡＶ受信装置３で用いられるＭＰＥＧストリーム蓄積部７であっても、本実施形態ではそれほど大規模な変更なしに使用できる。その理由は、無線ＬＡＮ−ＬＳＩ６でコピー制御情報を調べて、その調べた結果がＭＰＥＧストリーム蓄積部７に通知されるためである。
【００５７】
本実施形態のＡＶ受信装置３は、無線ＬＡＮ−ＬＳＩ６内のＭＰＥＧパーサ及びＣＣＩ判断部２６が、転送されてくるＡＶストリーム（ＭＰＥＧストリーム）のパーサ機能と暗号管理情報の検出と通知の機能を持つため、これを、ＭＰＥＧストリーム蓄積部７が参照して、そのストリームの録画の可否を判断することができる。
【００５８】
このように、第１の実施形態では、受信されたＡＶストリームに含まれるコピー制御情報をＡＶ受信装置３で検出してから、ＡＶストリームのコピーを許可するか否かを決定するため、個々のＡＶストリームのコピー制御情報に応じた著作権保護が図れる。また、ＡＶ送信装置１は、ＡＶストリームとは別個にコピー制御情報をＡＶ送信装置１から送信する必要がなくなり、ＡＶ送信装置１の処理軽減が図れる。
【００５９】
さらに、コピー制御情報の検出は、ＡＶ受信装置３内の無線ＬＡＮ−ＬＳＩ６で行うため、ＭＰＥＧストリーム蓄積部７の構成を従来のものから変える必要はなく、従来のＡＶ受信装置３からの設計変更が容易である。
【００６０】
また、本実施形態では、異なる複数種類のコピー制御情報を持つＡＶストリームが多重化されて受信されても、復号鍵の種類に関係なく、ＡＶストリームの各コピー制御情報に基づいてコピーするか否かを個別に判断できる。
【００６１】
（第２の実施形態）
第２の実施形態は、ＡＶ送信装置１からＡＶ受信装置３に対してＡＶストリームの暗号鍵の変更を通知する方法に特徴がある。
【００６２】
ＡＶ送信装置１からＡＶ受信装置３に、暗号化されたＡＶストリームを送信する際、このＡＶストリームを復号するのに必要な暗号鍵を常に同じものにすると、いったん何らかの手段で暗号鍵を不正に取得すると、その後継続してＡＶストリームを復号できてしまう。このため、暗号鍵は、ある時間間隔ごとに変更するのが望ましい。
【００６３】
そこで、ＡＶ送信装置１は、暗号鍵を切り換えるタイミングをＡＶ受信装置３に何らかの手段で通知する。ＡＶ受信装置３は、ＡＶ送信装置１から暗号鍵を切り換えた旨の通知を受けると、予め定めた手法により、新たな暗号鍵を生成する。
【００６４】
第２の実施形態のＡＶ送信装置１は、図２と同様に、ＭＰＥＧ処理部２と無線ＬＡＮ−ＬＳＩ４を有する。第２の実施形態でも、ＡＶ送信装置１は、図４と同様の転送フォーマットのＡＶストリームをＡＶ受信装置３に伝送する。
【００６５】
第２の実施形態のＡＶ受信装置３は、図６と同様に、無線ＬＡＮ−ＬＳＩ６とＭＰＥＧストリーム蓄積部７を有する。
【００６６】
従来のＤＴＣＰ、即ちＩＥＥＥ１３９４等のＤＴＣＰでは、暗号化を施したＡＶストリームと同時に、著作権保護のための制御データを転送し、その中には上述したコピー制御情報（暗号管理情報）も含まれる。
【００６７】
これに対して、本実施形態は、著作権保護のための制御データ領域をＲＴＰ／ＩＰパケットに設けずに、事前に送信装置と受信装置間でこれらの制御情報を合意した上で、ＡＶストリームを転送する。
【００６８】
図８はＡＶ送信装置１の第２の実施形態の処理手順を示すシーケンス図である。まず、ＡＶ受信装置３はＡＶ送信装置１に対して、ＡＶストリームの再生を要求するＡＶ制御コマンドをＴＣＰ／ＩＰにて送信する（ステップＳ１）。次に、ＡＶ受信装置３はＡＶ送信装置１に対して、認証・鍵交換要求を行う（ステップＳ２）。ここでは、ＡＶストリームの送信ＩＰアドレス及びポート番号と、受信ＩＰアドレス及びポート番号を指定する。
【００６９】
そして、ＡＶ受信装置３とＡＶ送信装置１との間で認証・鍵交換処理を行う（ステップＳ３）。このとき、暗号管理情報や暗号再計算タイミングなども互いに取り決める。より具体的には、「その認証鍵交換がどのＲＴＰコネクション（例えば、どのＩＰアドレス、ポート番号のＲＴＰコネクション）のためのものか」を明示すると共に、「そのＲＴＰコネクションが、どのようなコピー制御情報のデータを転送するためのコネクションであるか」を事前に取り決める。
【００７０】
例えば、認証鍵交換の終了の段階で、「このＲＴＰコネクションは、Ｃｏｐｙ  Ｎｅｖｅｒコンテンツの転送のためのコネクションである」ことを送信装置と受信装置間で取り決める。このような取り決めにより、ＡＶ受信装置３は復号鍵を取得する（ステップＳ４）。
【００７１】
また、暗号鍵が切り替わるタイミングについても、例えばＴＣＰやＲＴＰのシーケンス番号がいくつおきに暗号鍵が切り替わる、あるいは、そのシーケンス番号の初期値（暗号鍵切り替えのタイミングの計算のし始めの初期値）等を、やはりＤＴＣＰの認証鍵交換の段階でお互いに合意しておく。
【００７２】
さらに、ＴＣＰやＲＴＰのシーケンス番号において暗号鍵が切り替わるタイミングを同シーケンス番号の「２のべき乗毎」とし、２のべき乗番目のシーケンス番号のビットを立てる（ビットを１にする）。
【００７３】
これにより、ＡＶ受信装置３は、受信されたＡＶストリームのＴＣＰやＲＴＰのシーケンス番号のあるビットに注目していれば、暗号鍵の切替タイミングを簡易かつ迅速に検出できる。また、切替タイミングを検出するために、上述した初期値との差分値をいちいち計算する必要がなくなり、計算量の削減や装置の複雑さを軽減できる。
【００７４】
認証・鍵交換処理が成功すると、認証・鍵交換処理により得た暗号鍵を用いて、ＡＶ送信装置１はＡＶストリームを暗号化し（ステップＳ５）、送信ポート番号と受信ポート番号を指定してＡＶ受信装置３に送信する（ステップＳ６）。ＡＶ受信装置３は、ステップＳ４で取得した復号鍵を用いてＡＶストリームを復号化する。
【００７５】
このように、第２の実施形態では、ＡＶ送信装置１がＡＶ受信装置３に送信するＡＶストリームの転送プロトコルのシーケンス番号が２のべき乗番目のときを暗号再計算タイミングとするため、ＡＶ受信装置３は復号鍵の切替タイミングを簡易かつ迅速に検知でき、復号鍵の切替タイミングの検出に要する処理負担が軽減される。
【００７６】
（第３の実施形態）
第３の実施形態は、ＡＶ送信装置１とＡＶ受信装置３との間に、ＡＶストリーム転送用の複数のコネクションを設けるものである。
【００７７】
図９は本発明に係るＡＶ通信システムの第３の実施形態の概略構成を示すブロック図である。図９のＡＶ通信システムは、ＡＶ送信装置１と、ＡＶ受信装置３と、ＡＶストリーム転送用の複数のコネクション９ａ，９ｂ，９ｃ，９ｄと、を備えている。
【００７８】
各コネクションは、それぞれ異なるコピー制御情報を持つＡＶストリームを伝送するためのものであり、例えば、図９の例では、Ｃｏｐｙ  Ｎｅｖｅｒ用コネクション９ａ、Ｃｏｐｙ  Ｏｎｃｅ用コネクション９ｂ、Ｃｏｐｙ  Ｎｏ  Ｍｏｒｅ用コネクション９ｃ及びＣｏｐｙ  Ｆｒｅｅ用コネクション９ｄを有する。
【００７９】
ＡＶ送信装置１は、複数のコピー制御情報が混在するＡＶストリームを送信する場合には、各コピー制御情報に応じて、ＡＶストリームを各コネクションに振り分けて送信する。
【００８０】
ＡＶ受信装置３は、ＡＶストリームがどのコネクションで受信されたかによって、ＭＰＥＧストリーム蓄積部７へのＡＶストリームの蓄積を制御する。
【００８１】
図１０はＡＶ送信装置１の第３の実施形態の内部構成を示すブロック図である。図１０のＡＶ送信装置１は、ＭＰＥＧ処理部３１と、ＡＶストリームの送信処理を行う通信処理部３２と、ＡＶ受信装置３との認証・鍵交換処理を行うＤＴＣＰ処理部３３とを有する。
【００８２】
通信処理部３２は、ＡＶストリームのコピー制御情報に基づいてコネクションの選択を行うＥＭＩ判別及びＲＴＰコネクション振分け部３４と、ＡＶストリームをパケット化するＲＴＰ／ＩＰ処理部３５と、ネットワークインタフェース部（ネットワークＩ／Ｆ）３６とを有する。
【００８３】
図１１はＡＶ受信装置３の第３の実施形態の内部構成を示すブロック図である。図１１のＡＶ受信装置３は、ネットワークインタフェース部（ネットワークＩ／Ｆ）４１と、ＲＴＰ／ＩＰ処理部４２と、ＤＴＣＰ処理部４３と、コピー制御情報に基づいてＡＶストリームを蓄積するか否かを判断するＭＰＥＧフィルタリング処理部４４と、ＭＰＥＧストリーム蓄積部７とを有する。
【００８４】
ＭＰＥＧストリーム蓄積部７は、コピー制御情報を付加してＡＶストリームを蓄積する。例えば、受信されたＡＶストリームがＣｏｐｙ  ＦｒｅｅであればＣｏｐｙ  Ｆｒｅｅで蓄積し、Ｃｏｐｙ  ＯｎｃｅであればＣｏｐｙ  Ｎｏ  Ｍｏｒｅで蓄積する。また、受信されたＡＶストリームがＣｏｐｙ  Ｎｏ  ＭｏｒｅまたはＣｏｐｙ  Ｎｅｖｅｒであれば、再生は許容しても蓄積は禁止する。コピー制御情報の識別は、ＲＴＰ／ＩＰ処理部４２内のＲＴＰコネクション識別部４５が行う。
【００８５】
ＡＶ送信装置１とＡＶ受信装置３は、４つのコネクション９ａ，９ｂ，９ｃ，９ｄのそれぞれについて認証・鍵交換処理を行う。より詳細には、認証についてはＡＶ送信装置１とＡＶ受信装置３で１回だけ行えばよく、鍵交換についてのみ各コネクションごとに行い、互いに異なる暗号鍵を用いて各コネクション上のＡＶストリームの暗号化を行えばよい。
【００８６】
図１２は図１０のＡＶ送信装置１の処理手順を示すフローチャートである。まず、Ｃｏｐｙ  ＮｅｖｅｒのＡＶストリームか否かを判定し（ステップＳ１１）、ＹｅｓであればＣｏｐｙ  Ｎｅｖｅｒ用コネクションにＡＶストリームを投入する（ステップＳ１２）。
【００８７】
ステップＳ１１でＮｏと判定されると、次にＣｏｐｙ  Ｏｎｃｅか否かを判定し（ステップＳ１３）、Ｃｏｐｙ  ＯｎｃｅであればＣｏｐｙ  Ｏｎｃｅ用コネクションにＡＶストリームを投入する（ステップＳ１４）。
【００８８】
ステップＳ１３でＮｏと判定されると、次にＣｏｐｙ  Ｎｏ  Ｍｏｒｅか否かを判定し（ステップＳ１５）、Ｃｏｐｙ  Ｎｏ  ＭｏｒｅであればＣｏｐｙ  Ｎｏ  Ｍｏｒｅ用コネクションにＡＶストリームを投入する（ステップＳ１６）。
【００８９】
ステップＳ１５でＮｏと判定されると、次にＣｏｐｙ  Ｆｒｅｅか否かを判定し（ステップＳ１７）、Ｃｏｐｙ  Ｎｏ  ＭｏｒｅであればＣｏｐｙ  Ｆｒｅｅ用コネクションにＡＶストリームを投入する（ステップＳ１８）。ステップＳ１８でＮｏと判定されると、所定のエラー処理を行う。
【００９０】
本実施形態において、各コネクション９ａ，９ｂ，９ｃ，９ｄのシーケンス番号やタイムスタンプ等の情報は、各コネクション９ａ，９ｂ，９ｃ，９ｄごとに独立して管理する必要はなく、各コネクション間で共通のシーケンス番号やタイムスタンプを利用してもよい。
【００９１】
このように、第３の実施形態では、それぞれ異なるコピー制御情報ごとにコネクション９ａ，９ｂ，９ｃ，９ｄを設け、コピー制御情報に応じたコネクションを選択してＡＶストリームを伝送するため、ＡＶ受信装置３にてコピー制御情報を検出しなくても、ＡＶストリームのコピー制御情報を検出でき、ＡＶ受信装置３の処理軽減が図れる。また、ＡＶ送信装置１も、ＡＶストリームにコピー制御情報を付加する処理を行わなくて済む。
【００９２】
上述した各実施形態で説明したＡＶ送信装置１、ＡＶ受信装置３及びＡＶ通信システムは、ハードウェアで構成してもよいし、ソフトウェアで構成してもよい。ソフトウェアで構成する場合には、ＡＶ送信装置１、ＡＶ受信装置３及びＡＶ通信システムの機能を実現するプログラムをフロッピーディスクやＣＤ−ＲＯＭ等の記録媒体に収納し、コンピュータに読み込ませて実行させてもよい。記録媒体は、磁気ディスクや光ディスク等の携帯可能なものに限定されず、ハードディスク装置やメモリなどの固定型の記録媒体でもよい。
【００９３】
また、ＡＶ送信装置１、ＡＶ受信装置３及びＡＶ通信システムの機能を実現するプログラムを、インターネット等の通信回線（無線通信も含む）を介して頒布してもよい。さらに、同プログラムを暗号化したり、変調をかけたり、圧縮した状態で、インターネット等の有線回線や無線回線を介して、あるいは記録媒体に収納して頒布してもよい。
【００９４】
【発明の効果】
以上詳細に説明したように、本発明によれば、ＡＶストリームに含まれるコピー制御情報の検出結果に基づいて、ＡＶストリームを蓄積または再生するか否かを判断するため、ＡＶストリームの著作権保護を図れるとともに、送信装置側でＡＶストリームとは別個にコピー制御情報を送信しなくて済み、送信装置の処理を軽減できる。
【図面の簡単な説明】
【図１】本発明に係るＡＶ通信システムの一実施形態の全体構成を示すブロック図。
【図２】図１のＡＶ送信装置１の内部構成の一例を示すブロック図。
【図３】無線ＬＡＮ−ＬＳＩ４の第１の実施形態の内部構成を示すブロック図。
【図４】ＡＶストリームの転送フォーマットを示す図。
【図５】ＲＴＰコネクションの属性と同コネクションを通過するコンテンツの種類を示す図。
【図６】ＡＶ受信装置３の第１の実施形態の内部構成を示すブロック図。
【図７】図６の無線ＬＡＮ−ＬＳＩ６の内部構成の一例を示すブロック図。
【図８】ＡＶ送信装置１の第２の実施形態の処理手順を示すシーケンス図。
【図９】本発明に係るＡＶ通信システムの第３の実施形態の概略構成を示すブロック図。
【図１０】ＡＶ送信装置１の第３の実施形態の内部構成を示すブロック図。
【図１１】ＡＶ受信装置３の第３の実施形態の内部構成を示すブロック図。
【図１２】図１０のＡＶ送信装置１の処理手順を示すフローチャート。
【符号の説明】
１  ＡＶ送信装置
２  無線ネットワーク
３  ＡＶ受信装置
４  無線ＬＡＮ−ＬＳＩ
５  ＭＰＥＧ処理部
６  無線ＬＡＮ−ＬＳＩ
７  ＭＰＥＧストリーム蓄積部
８  録画可否判断部
９ａ，９ｂ，９ｃ，９ｄ  コネクション
１１  ＭＰＥＧインタフェース部
１２  ＣＣＩ入力部
１３  ＲＴＰ／ＩＰ処理部
１４  ＤＴＣＰ  ＡＫＥ処理部
１５  ＤＴＣＰ暗号化処理部
１６  多重化部
１７  無線ＬＡＮ処理部
１８  無線ＬＡＮインタフェース部
２１  無線ＬＡＮインタフェース部
２２  無線ＬＡＮ処理部
２３  分離部
２４  ＤＴＣＰ  ＡＫＥ処理部
２５  ＲＴＰ／ＩＰ及びＤＴＣＰ復号化処理部
２６  ＭＰＥＧパーサ及びＣＣＩ判断部
【図１】
2004193805.tif 000003
【図２】
2004193805.tif 000004
【図３】
2004193805.tif 000005
【図４】
2004193805.tif 000006
【図５】
2004193805.tif 000007
【図６】
2004193805.tif 000008
【図７】
2004193805.tif 000009
【図８】
2004193805.tif 000010
【図９】
2004193805.tif 000011
【図１０】
2004193805.tif 000012
【図１１】
2004193805.tif 000013
【図１２】
2004193805.tif 000014